【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
保存された複数のデータから所定の検索キーに基づいて所望のデータを検索する検索装置であって、
原稿画像を読み取って画像データを得る読み取り手段と、
前記画像データ内にある画像領域とキーワードとのうち少なくとも１つを抽出する抽出手段と、
ユーザに情報を表示するための表示手段と、
ユーザが指示を入力するための入力手段と、
前記入力手段による検索キーの属性の指定に応じて前記読み取り手段で得られた画像データ内にある画像領域とキーワードとのうち少なくとも１つを前記抽出手段で抽出させ、前記画像データに対応する画像とキーワードとのうち少なくとも１つとして前記表示手段に一覧表示させる一覧表示手段と、
該一覧表示された画像又はキーワードを前記入力手段によってユーザが選択した場合に、選択された画像又はキーワードを検索キーとして用いて検索を行う検索手段と
を備えることを特徴とする検索装置。
【請求項２】
画像データのサイズを縮小する縮小手段を更に備えており、
前記一覧表示手段は、前記抽出手段が画像領域を抽出した場合、抽出した画像領域に対応する縮小画像を前記表示手段に一覧表示させることを特徴とする請求項１に記載の検索装置。
【請求項３】
前記検索装置は、画像の情報を検索キーとして検索を行う画像検索モードと、文字列を検索キーとして検索を行うキーワード検索モードとの２つの検索モードを有しており、
前記抽出手段は、
指定された領域内の文字情報を抽出するＯＣＲ手段と、
抽出された文字情報から所定の規則に従ってキーワードを抽出するキーワード抽出手段と、を更に備えており、
前記キーワード検索モードが指定されたときに、
前記抽出手段は画像データ内にある文字領域を抽出し、
前記一覧表示手段は、前記抽出手段で抽出した文字領域に対して、前記ＯＣＲ手段及び前記キーワード抽出手段を用いてキーワードを抽出し、抽出されたキーワードを前記表示手段に一覧表示させ、
該一覧表示されたキーワードのうち少なくとも１つを前記入力手段によってユーザが選択した場合に、選択されたキーワードを検索キーとして用いて検索を行うように構成されていることを特徴とする請求項１又は２に記載の検索装置。
【請求項４】
前記検索手段は、検索キーとして選択された画像の特徴情報を用いて検索を行うことを特徴とする請求項１から３のいずれか１項に記載の検索装置。
【請求項５】
前記特徴情報は、画像のエッジ情報、色情報、及び配置パターンのうち少なくともいずれかを含むことを特徴とする請求項４に記載の検索装置。
【請求項６】
前記表示手段は表示画面を有し、前記入力手段は該表示画面上に設けられたタッチパネルを含むことを特徴とする請求項１から５のいずれか１項に記載の検索装置。
【請求項７】
前記検索装置は、少なくとも読み取り機能とプリント機能とを有する複合機であることを特徴とする請求項１から６のいずれか１項に記載の検索装置。
【請求項８】
保存された複数のデータから所定の検索キーに基づいて所望のデータを検索する検索方法であって、
原稿画像を読み取って画像データを得る読み取り工程と、
前記画像データ内にある画像領域とキーワードとのうち少なくとも１つを抽出する抽出工程と、
ユーザが指示を入力するための入力手段によって検索キーの属性を指定したのに応じて前記抽出工程で抽出した画像領域とキーワードとのうち少なくとも１つに対応する画像とキーワードとのうち少なくとも１つを、ユーザに情報を表示するための表示手段に一覧表示させる一覧表示工程と、
前記入力手段によって、該一覧表示された画像又はキーワードをユーザが選択したのに応じて、選択された画像又はキーワードを検索キーとして用いて検索を行う検索工程と、備えることを特徴とする検索方法。
【請求項９】
請求項８に記載の検索方法の各工程をコンピュータ装置によって実行させるためのプログラムコードを含むコンピュータプログラム。
【請求項１０】
請求項９に記載のコンピュータプログラムを格納したコンピュータ可読記憶媒体。
【手続補正２】
【補正対象書類名】明細書
【補正対象項目名】０００９
【補正方法】変更
【補正の内容】
【０００９】
本発明は、以上のような状況に鑑みてなされたものであり、ユーザが容易でわかりやすい方法で、検索キーとなる画像又はキーワードの指定や入力を行えるようにすることを目的とする。
【手続補正３】
【補正対象書類名】明細書
【補正対象項目名】００１０
【補正方法】変更
【補正の内容】
【００１０】
本発明の別の目的は、限られた表示領域でも、検索キーとなる画像又はキーワードの指定や入力が容易に行えるようにすることである。
【手続補正４】
【補正対象書類名】明細書
【補正対象項目名】００１１
【補正方法】変更
【補正の内容】
【００１１】
上記目的を達成する本発明の一態様としての検索装置は、保存された複数のデータから所定の検索キーに基づいて所望のデータを検索する検索装置であって、
原稿画像を読み取って画像データを得る読み取り手段と、
前記画像データ内にある画像領域とキーワードとのうち少なくとも１つを抽出する抽出手段と、
ユーザに情報を表示するための表示手段と、
ユーザが指示を入力するための入力手段と、
前記入力手段による検索キーの属性の指定に応じて前記読み取り手段で得られた画像データ内にある画像領域とキーワードとのうち少なくとも１つを前記抽出手段で抽出させ、前記画像データに対応する画像とキーワードとのうち少なくとも１つとして前記表示手段に一覧表示させる一覧表示手段と、
該一覧表示された画像又はキーワードを前記入力手段によってユーザが選択した場合に、選択された画像又はキーワードを検索キーとして用いて検索を行う検索手段と
を備えることを特徴とする。
【手続補正５】
【補正対象書類名】明細書
【補正対象項目名】００１２
【補正方法】変更
【補正の内容】
【００１２】
上記目的を達成する本発明の別の態様としての検索方法は、保存された複数のデータから所定の検索キーに基づいて所望のデータを検索する検索方法であって、
原稿画像を読み取って画像データを得る読み取り工程と、
前記画像データ内にある画像領域とキーワードとのうち少なくとも１つを抽出する抽出工程と、
ユーザが指示を入力するための入力手段によって検索キーの属性を指定したのに応じて前記抽出工程で抽出した画像領域とキーワードとのうち少なくとも１つに対応する画像とキーワードとのうち少なくとも１つを、ユーザに情報を表示するための表示手段に一覧表示させる一覧表示工程と、
前記入力手段によって、該一覧表示された画像又はキーワードをユーザが選択したのに応じて、選択された画像又はキーワードを検索キーとして用いて検索を行う検索工程と、備えることを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１７
【補正方法】変更
【補正の内容】
【００１７】
本発明によれば、原稿内にある画像とキーワードとのうち少なくとも１つが抽出され、それが一覧表示され、その中からユーザが選択した画像を検索キーとして検索が実行される。
【手続補正１０】
【補正対象書類名】明細書
【補正対象項目名】００１８
【補正方法】変更
【補正の内容】
【００１８】
従って、ユーザに容易でわかりやすい手法で検索キーとなる画像又はキーワードの指定や入力が可能となり、ユーザの利便性が向上する。